(57)【特許請求の範囲】
【請求項１】
光ディスクの第１半径位置、前記第１半径位置より内周側に位置する第２半径位置、および、前記第２半径位置よりも内周側に位置する第３半径位置において、記録速度Ｖ１でそれぞれデータを記録し、記録したデータを、前記記録速度Ｖ１以下の再生速度Ｖ０で再生することにより、再生信号の信号品質指標値Ａ、Ｂ、Ｃをそれぞれ測定するステップと、
前記第１半径位置および前記第２半径位置において、Ｖ１よりも大きい記録速度Ｖ２でそれぞれデータを記録し、記録したデータを前記再生速度Ｖ０で再生することにより、再生信号の信号品質指標値Ｄ、Ｅをそれぞれ測定するステップと、
前記信号品質指標値ＢおよびＥの相違に基づいて、前記信号品質指標値Ｃを補正することにより、前記第３半径位置において、前記速度Ｖ２でデータを記録し、記録したデータを前記再生速度Ｖ０で再生した場合の信号品質指標値Ｆを算出するステップと、
を包含し、
前記信号品質指標値は、２値化のジッタ値またはＰＲＭＬのエラー相関値である、光ディスクの検査方法。
【請求項２】
前記信号品質指標値Ｆを算出した後、前記信号品質指標値Ａ、Ｂ、Ｃ、Ｄ、Ｅ、Ｆが所定値以下であるかどうかを確認するステップをさらに包含する請求項１に記載の光ディスクの検査方法。
【請求項３】
光ディスクの第１半径位置、前記第１半径位置より内周側に位置する第２半径位置、および、前記第２半径位置よりも内周側に位置する第３半径位置において、記録速度Ｖ１でそれぞれデータを記録し、記録したデータを、前記記録速度Ｖ１以下の再生速度Ｖ０で再生することにより、再生信号の信号品質指標値Ａ、Ｂ、Ｃをそれぞれ測定するステップと、
前記第１半径位置および前記第２半径位置において、Ｖ１よりも大きい記録速度Ｖ２でそれぞれデータを記録し、記録したデータを前記再生速度Ｖ０で再生することにより、再生信号の信号品質指標値Ｄ、Ｅをそれぞれ測定するステップと、
前記信号品質指標値ＢおよびＥの相違に基づいて、前記信号品質指標値Ｃを補正することにより、前記第３半径位置において、前記速度Ｖ２でデータを記録し、記録したデータを前記再生速度Ｖ０で再生した場合の信号品質指標値Ｆを算出するステップと、
前記第１半径位置において、Ｖ２よりも大きい記録速度Ｖ３でデータを記録し、記録したデータを前記再生速度Ｖ０で再生することにより、再生信号の信号品質指標値Ｇを測定するステップと、
前記信号品質指標値ＧおよびＤの相違に基づいて、前記信号品質指標値Ｅを補正することにより、前記第２半径位置において、前記速度Ｖ３でデータを記録し、記録したデータを前記再生速度Ｖ０で再生した場合の信号品質指標値Ｈを算出するステップと、
を包含し、
前記信号品質指標値は、２値化のジッタ値またはＰＲＭＬのエラー相関値である、光ディスクの検査方法。
【請求項４】
前記信号品質指標値Ｈを算出した後、前記信号品質指標値Ａ、Ｂ、Ｃ、Ｄ、Ｅ、Ｆ、Ｇ、Ｈが所定値以下であるかどうかを確認するステップをさらに包含する請求項３に記載の光ディスクの検査方法。
【請求項５】
前記信号品質指標値Ｆは、Ｃ＋Ｅ−Ｂ、または、（Ｃ2＋Ｅ2−Ｂ2）0.5である請求項１から４のいずれかに記載の光ディスクの検査方法。
【請求項６】
前記信号品質指標値Ｈは、Ｅ＋Ｇ−Ｄ、または、（Ｅ2＋Ｇ2−Ｄ2）0.5である請求項３または４に記載の光ディスクの検査方法。
【請求項７】
前記信号品質指標値は、前記２値化のジッタ値である請求項１から４のいずれかに記載の光ディスクの検査方法。
【請求項８】
前記信号品質指標値は、前記ＰＲＭＬのエラー相関値である請求項１から４のいずれかに記載の光ディスクの検査方法。
【発明の詳細な説明】
【技術分野】
【０００１】
本発明は、高速記録に適した光ディスクの検査方法および光ディスク媒体に関する。
【背景技術】
【０００２】
光学的にデータを記録し、記録されたデータを再生することのできる記録媒体（以下、本願明細書では単に光ディスクと呼ぶ）には、データの追記が可能なＣＤ−Ｒ、ＤＶＤ−Ｒ、ＢＤ−Ｒなどや、書き換えが可能なＤＶＤ−ＲＷ、ＤＶＤ−ＲＡＭ、ＢＤ−ＲＥなどがある。これらの光ディスクには全て標準の記録速度が規定されている。記録速度は、具体的には線速度または転送レートで示される。本願明細書では、主として線速度を用いて記録速度を説明する。
【０００３】
近年、市場の要望および技術の進歩により、光ディスクへの最高記録速度が向上しており、すでにＤＶＤ−Ｒでは１６倍速での記録が実用化されている。また、ＢＤ−Ｒは現在４倍速での記録を行うことのできるディスクおよび記録装置が実用化されている。さらに高速で記録を行うことのできる光ディスクも開発中である。ここで、「〜倍速」とは、記録の標準の速さの何倍の速さであるかを意味する。
【０００４】
光ディスクの最高記録速度が高くなるほど、記録条件は厳しくなる。このため、光ディスクの製造メーカや検証機関は、光ディスクが高速記録に適した所定の特性を備えているかどうかを検査する。たとえば、サンプル光ディスクの内周、中周および外周トラックなどで実際にテスト記録を行い、再生信号の信号品質指標値が予め決めた範囲内であるかどうかを確認する。この検査に合格した光ディスクだけが製品として出荷される。
【発明の概要】
【発明が解決しようとする課題】
【０００５】
１．２ｍｍの厚さおよび、１２ｃｍ直径を有する一般的な光ディスクを用いて高速記録を行う場合、スピンドルモータの回転能力、騒音、ディスクの破壊に対する安全性などを考慮すると、現在の技術水準では光ディスクの回転速度は約１００００ｒｐｍ以下で使用することが望ましい。また、光ディスクを同一の回転速度で回転させる場合、半径の小さい内周で得られる記録の線速度は、半径の大きい外周に比べて小さい。こうした理由から、光ディスクの最高記録速度を高めていく場合、半径の小さい内周トラックにおいて回転速度が高くなり過ぎ、データの高速記録が困難となる。具体的には、たとえばＢＤの場合、半径２４ｍｍ付近の位置では、記録速度が５倍速であれば、回転速度は約９８００ｒｐｍに達する。さらに、記録速度を６倍速以上にする場合、半径２４ｍｍ付近の位置における回転速度は１２０００ｒｐｍを超える。
【０００６】
こうした理由から、仮に高速記録に適した所定の特性を備えているように設計、製造された光ディスクであっても、従来の光ディスクの検査方法では、ディスクの回転数が増大する内周トラックにおける高速記録の信号品質指標値を検査することができないという課題があった。
【０００７】
また、仮に、検査に用いる光ディスク装置に強力なスピンドルモータを用い、１００００ｒｐｍを超える回転数を実現したとしても、このような高速回転ではスピンドルモータおよび光ディスクの振動が極めて大きくなるため、トラッキングサーボが不安定となり、正確な光ディスクの検査を行うことが困難となる。このため、従来、光ディスクの内周トラックにおける高速記録時の信号品質を保証することができなかった。
【０００８】
このような理由から、仮に内周トラックにおいて安定な高速記録を行うことのできるドライブ装置が開発されても、内周トラックにおける高速記録の信号品質が保証されていない光ディスク媒体を使わざるを得ないという課題があった。
【０００９】
本発明は、このような課題を解決し、通常は検査が困難な内周トラックにおける高速記録における品質を保証するための光ディスクの検査方法および品質が保証された光ディスクを提供することを目的とする。
【課題を解決するための手段】
【００１０】
本発明の光ディスクの検査方法は、光ディスクの第１半径位置、前記第１半径位置より内周側に位置する第２半径位置、および、前記第２半径位置よりも内周側に位置する第３半径位置において、記録速度Ｖ１でそれぞれデータを記録し、記録したデータを再生することにより、再生信号の信号品質指標値Ａ、Ｂ、Ｃをそれぞれ測定するステップと、前記第１半径位置および前記第２半径位置において、Ｖ１よりも大きい記録速度Ｖ２でそれぞれデータを記録し、記録したデータを再生することにより、再生信号の信号品質指標値Ｄ、Ｅをそれぞれ測定するステップと、前記信号品質指標値ＢおよびＥの相違に基づいて、前記信号品質指標値Ｃを補正することにより、前記第３半径位置において、前記速度Ｖ２でデータを記録し、記録したデータを再生した場合の信号品質指標値Ｆを算出するステップとを包含する。
【００１１】
ある好ましい実施形態において、光ディスクの検査方法は、前記信号品質指標値Ｆを算出した後、前記信号品質指標値Ａ、Ｂ、Ｃ、Ｄ、Ｅ、Ｆが所定値以下であるかどうかを確認するステップをさらに包含する。
【００１２】
本発明の光ディスクの検査方法は、光ディスクの第１半径位置、前記第１半径位置より内周側に位置する第２半径位置、および、前記第２半径位置よりも内周側に位置する第３半径位置において、記録速度Ｖ１でそれぞれデータを記録し、記録したデータを再生することにより、再生信号の信号品質指標値Ａ、Ｂ、Ｃをそれぞれ測定するステップと、前記第１半径位置および前記第２半径位置において、Ｖ１よりも大きい記録速度Ｖ２でそれぞれデータを記録し、記録したデータを再生することにより、再生信号の信号品質指標値Ｄ、Ｅをそれぞれ測定するステップと、前記信号品質指標値ＢおよびＥの相違に基づいて、前記信号品質指標値Ｃを補正することにより、前記第３半径位置において、前記速度Ｖ２でデータを記録し、記録したデータを再生した場合の信号品質指標値Ｆを算出するステップと、前記第１半径位置において、Ｖ２よりも大きい記録速度Ｖ３でデータを記録し、記録したデータを再生することにより、再生信号の信号品質指標値Ｇを測定するステップと、前記信号品質指標値ＧおよびＤの相違に基づいて、前記信号品質指標値Ｅを補正することにより、前記第２半径位置において、前記速度Ｖ３でデータを記録し、記録したデータを再生した場合の信号品質指標値Ｈを算出するステップとを包含する。
【００１３】
ある好ましい実施形態において、光ディスクの検査方法は、前記信号品質指標値Ｈを算出した後、前記信号品質指標値Ａ、Ｂ、Ｃ、Ｄ、Ｅ、Ｆ、Ｇ、Ｈが所定値以下であるかどうかを確認するステップをさらに包含する。
【００１４】
ある好ましい実施形態において、前記信号品質指標値Ｆは、Ｃ＋Ｅ−Ｂ、または、（Ｃ2＋Ｅ2−Ｂ2）0.5である。
【００１５】
ある好ましい実施形態において、前記信号品質指標値Ｈは、Ｅ＋Ｇ−Ｄ、または、（Ｅ2＋Ｇ2−Ｄ2）0.5である。
【００１６】
ある好ましい実施形態において、前記信号品質指標値は、２値化のジッタ値である。
【００１７】
ある好ましい実施形態において、前記信号品質指標値は、ＰＲＭＬのエラー相関値である。
【００１８】
本発明の光ディスクは、記録速度Ｖ１における標準の記録パワーおよび記録パルス条件と、前記Ｖ１より大きい記録速度Ｖ２における標準の記録パワーおよび記録パルス条件とが、リードイン領域に予め記憶されており、前記標準の記録パワーおよび記録パルス条件を用いて、上記いずれかに規定される光ディスクの検査方法を実施したとき、記録速度Ｖ１と記録速度Ｖ２における信号品質指標値が所定値以下となる。
【００１９】
本発明の光ディスクは、Ｖ３＞Ｖ２＞Ｖ１となる記録速度Ｖ１における標準の記録パワーおよび記録パルス条件と、記録速度Ｖ２における標準の記録パワーおよび記録パルス条件と、記録速度Ｖ３における標準の記録パワーおよび記録パルス条件とが、光ディスク媒体のリードイン領域に予め記憶されており、前記標準の記録パワーおよび記録パルス条件を用いて、上記いずれかに規定される光ディスクの検査方法を実施したとき、記録速度Ｖ１と記録速度Ｖ２と記録速度Ｖ３における信号品質指標値が所定値以下となる。
【発明の効果】
【００２０】
本発明の光ディスクの検査方法によれば、通常は検査が困難な内周部の高速記録の信号品質を保証した信頼性の高い光ディスクを提供することができる。また、本発明の光ディスクによれば、高速で記録または再生が可能なディスク装置での性能マージンが確保でき、装置間の互換性が高まる。
【図面の簡単な説明】
【００２１】
【図１】本発明による光ディスク検査方法を実行するディスク装置のブロック図である。
【図２】本発明による光ディスクのトラックレイアウトを模式的に示している。
【図３】本発明による光ディスク検査方法によって測定および算出する信号品質指標値と半径位置との関係を模式的に示している。
【発明を実施するための形態】
【００２２】
以下、図面を参照しながら、本発明による光ディスクの検査方法および光ディスクの実施形態を説明する。図１は、本発明による光ディスクの検査方法を実施するためのディスク装置のブロック図である。
【００２３】
図１に示す装置は、モータ２と、光ヘッド３と、トラバース機構５と、再生信号処理部６と、記録信号処理部８とを備える。また、制御部であるシステムコントローラ１０を備える。システムコントローラ１０は、制御バス１１を通じて各構成要素から種々の情報を受け取り、各構成要素を制御する。
【００２４】
モータ２は、光ディスク１００を装着し、システムコントローラ１０からの指令に基づき、所定の回転速度で光ディスク１００を回転させる。
【００２５】
光ヘッド３は光源を含み、光源から出射する光ビーム４を光ディスク１００に照射し、データの記録を行う。また、再生時に光ビーム４を光ディスク１００に照射し、光ディスク１００に形成されたマーク及びスペースに基づいて変調された反射光を検出し、再生信号を生成する。
【００２６】
トラバース機構５は、記録または再生を行うべきトラックを光ビーム４が照射するように、光ヘッド３を光ディスク１００の半径方向に移動させる。
【００２７】
記録信号処理部８は光ディスク１００の検査をするために行う試し書きのための記録信号９を生成し、光ヘッド３へ出力する。特に、記録信号処理部８は記録条件設定部１２を含み、変調規則で定められている複数の長さのマークおよびスペースがランダムな確率で発生される複数のパルスを含むランダム信号を生成するための光源の駆動条件を設定する。
【００２８】
再生信号処理部６は、光ヘッド３から得られる再生信号７の特性を検出する。特に、再生信号処理部６は信号指標測定部１３を含み、再生信号７の信号品質指標値を測定する。信号品質指標値としては、光ディスク３の総合特性の優劣を端的に表す指標値を用いることが好ましく、再生ランダム信号の２値化のジッタ値が好ましい。また、再生方式として、ＰＲＭＬ（パーシャル・レスポンス・マキシマム・ライクリフード）検出法を使うディスク装置では、そのエラー相関値を信号品質指標値として用いることが好ましい。具体的には、ＭＬＳＥ（マキシマム・ライクリフード・シーケンス・エラー）値、ＳＡＭ（シーケンスド・アンプリチュード・マージン）値などが適する。
【００２９】
図２は、本発明による光ディスクの検査方法を用いて検査される本発明の光ディスク１００のトラックレイアウトを示している。図２に示すように光ディスク１００は、内周側に設けられたリードイン領域１０１とリードイン領域１０１の外周側に設けられたユーザデータトラック１０２とを含む。ユーザデータトラック１０２はユーザが所望のデータを記録するトラックである。ユーザデータトラック１０２が設けられた部分をデータ領域とも呼ぶ。
【００３０】
光ディスク１００は追記型であってもよいし、書き換え型であってもよい。光ディスク１００が追記型である場合、ユーザデータトラック１０２に一度記録されたデータを書き換えることはできないが、ユーザデータトラック１０２のデータが記録されていない領域には追記が可能である。光ディスク１００が書き換え型である場合、ユーザデータトラック１０２に記録されたデータを書き換えることが可能である。
【００３１】
ユーザデータトラック１０２の領域全体において、所定の信号品質を有する再生信号が得られるかどうかを保証するため、光ディスク１００の検査は、ユーザデータトラック１０２の第１半径位置、第１半径位置よりも内周側に位置する第２半径位置および第２半径位置よりも内周側に位置する第３半径位置において行なわれる。第１半径位置、第２半径位置および第３半径位置をそれぞれｒ１、ｒ２およびｒ３とした場合、ｒ１＞ｒ２＞ｒ３の関係を満たしている。光ディスク１００の直径が約１２ｃｍである場合、ｒ１、ｒ２およびｒ３はそれぞれ５７ｍｍ≦ｒ１≦５９ｍｍ、４０ｍｍ≦ｒ２≦４２ｍｍ、２３ｍｍ≦ｒ３≦２５ｍｍであることが好ましい。また、ｒ２＝（ｒ１＋ｒ３）／２であることが好ましい。より好ましくは、ｒ１＝５８ｍｍ、ｒ２＝４１ｍｍ、ｒ３＝２４ｍｍである。以下、第１半径位置、第２半径位置および第３半径位置を外周トラック、中周トラックおよび内周トラックと呼ぶ。
【００３２】
なお、図１に示すディスク装置は、光ディスク１００の検査専用の装置として実現してもよいし、光ディスク１００の検査に加えて、任意のユーザデータを記録し、記録されたデータを再生することもできる光ディスク装置として実現してもよい。
【００３３】
以下、図１に示すディスク装置を用いた本発明による光ディスクの検査方法の実施形態を詳細に説明する。この方法の各手順は、コンピュータに読み取り可能なプログラム（ファームウェア）として、たとえば、システムコントローラ１０に設けられたＥＥＰＲＯＭやＲＡＭなどの情報記録媒体等に格納される。システムコントローラ１０は、この手順を規定したプログラムを読み出し、手順にしたがって各構成要素を制御する。
【００３４】
（ステップ１）
トラバース機構５によって、ヘッド３から出射する光ビーム４が光ディスク１００の外周トラックを照射するように光ヘッド３を移動させる。また、モータ２によって、光ディスク１００の外周トラックにおいて記録速度（線速度）Ｖ１となるように光ディスク１００を回転させる。
【００３５】
（ステップ２）
光ディスク１００の外周トラックに所定のデータを記録する。より具体的には、記録信号処理部８の記録条件設定部１２によって、記録速度Ｖ１用の記録パワーと記録パルス条件を設定し、設定された条件で光ヘッド３の光源を駆動し、光ビーム４を光ディスク１００に照射する。これにより、光ディスク１００の外周トラックにおいて、ランダム信号に対応する、マーク長およびスペース長がランダムである複数のマークを形成する。
【００３６】
（ステップ３）
光ディスク１００の外周トラックに記録されたデータを再生し、信号品質指標値を測定する。具体的には、モータ２によって、光ディスク１００を外周トラックにおいて再生速度Ｖ０となるように光ディスク１００を回転させる。再生速度Ｖ０は記録速度Ｖ１以下（Ｖ０≦Ｖ１となる低速の基準速度）である。
【００３７】
次に、光ヘッド３から再生時の強度を有する光ビーム４を出射し、光ディスク１００の外周トラックを照射する。光ディスク１００に形成されたマーク及びスペースに基づいて変調された反射光を光ヘッド３が検出し、再生信号７を生成する。再生信号処理部６の信号指標測定部１３は、再生信号７の信号品質指標値を測定する。得られた指標値Ａを、例えばシステムコントローラ１０内のメモリに記憶する。
【００３８】
（ステップ４）
トラバース機構５によって、ヘッド３から出射する光ビーム４が光ディスク１００の中周トラックを照射するように光ヘッド３を移動させる。また、モータ２によって、光ディスク１００の中周トラックにおいて記録速度Ｖ１となるように光ディスク１００を回転させる。
【００３９】
（ステップ５）
ステップ２と同様の手順によって、ディスク１００の中周トラックにおいて、ランダム信号に対応する、マーク長およびスペース長がランダムである複数のマークを形成する。
【００４０】
（ステップ６）
ステップ３と同様の手順によって、光ディスク１００の中周トラックに記録されたデータを再生速度Ｖ０で再生し、再生信号７の信号品質指標値を測定する。得られた指標値Ｂをシステムコントローラ１０内のメモリに記憶する。
【００４１】
（ステップ７）
トラバース機構５によって、ヘッド３から出射する光ビーム４が光ディスク１００の内周トラックを照射するように光ヘッド３を移動させる。また、モータ２によって、光ディスク１００の内周トラックにおいて記録速度Ｖ１となるように光ディスク１００を回転させる。
【００４２】
（ステップ８）
ステップ２と同様の手順によって、ディスク１００の内周トラックにおいて、ランダム信号に対応する、マーク長およびスペース長がランダムである複数のマークを形成する。
【００４３】
（ステップ９）
ステップ３と同様の手順によって、光ディスク１００の内周トラックに記録されたデータを再生速度Ｖ０で再生し、再生信号７の信号品質指標値を測定する。得られた指標値Ｃをシステムコントローラ１０内のメモリに記憶する。
【００４４】
（ステップ１０）
トラバース機構５によって、ヘッド３から出射する光ビーム４が光ディスク１００の外周トラックを照射するように光ヘッド３を移動させる。また、モータ２によって、光ディスク１００の外周トラックにおいて記録速度Ｖ２となるように光ディスク１００を回転させる。記録速度Ｖ２は記録速度Ｖ１よりも大きく設定する（Ｖ２＞Ｖ１）。
【００４５】
（ステップ１１）
ステップ２と同様の手順によって、ディスク１００の外周トラックにおいて、ランダム信号に対応する、マーク長およびスペース長がランダムである複数のマークおよびスペースを形成する。
【００４６】
（ステップ１２）
ステップ３と同様の手順によって、光ディスク１００の外周トラックに記録されたデータを再生速度Ｖ０で再生し、再生信号７の信号品質指標値を測定する。得られた指標値Ｄをシステムコントローラ１０内のメモリに記憶する。
【００４７】
（ステップ１３）
トラバース機構５によって、ヘッド３から出射する光ビーム４が光ディスク１００の中周トラックを照射するように光ヘッド３を移動させる。また、モータ２によって、光ディスク１００の中周トラックにおいて記録速度Ｖ２となるように光ディスク１００を回転させる。
【００４８】
（ステップ１４）
ステップ２と同様の手順によって、ディスク１００の中周トラックにおいて、ランダム信号に対応する、マーク長およびスペース長がランダムである複数のマークを形成する。
【００４９】
（ステップ１５）
ステップ３と同様の手順によって、光ディスク１００の中周トラックに記録されたデータを再生速度Ｖ０で再生し、再生信号７の信号品質指標値を測定する。得られた指標値Ｅをシステムコントローラ１０内のメモリに記憶する。
【００５０】
（ステップ１６）
システムコントローラ１０において、信号品質指標値ＢおよびＥの相違に基づいて、信号品質指標値Ｃを補正することによって求めた値を、記録速度Ｖ２で光ディスク１００の内周トラックにランダム信号を記録し、再生した場合に得られる信号品質指標値とする。具体的には、Ｅ2−Ｂ2を算出し、Ｃ2に加えた後、その平方根を求める。つまり、（Ｃ2＋Ｅ2−Ｂ2）0.5を算出し、その値を信号指標値Ｆとする。
【００５１】
（ステップ１７）
トラバース機構５によって、ヘッド３から出射する光ビーム４が光ディスク１の外周トラックを照射するように光ヘッド３を移動させる。また、モータ２によって、光ディスク１００の外周トラックにおいて記録速度Ｖ３となるように光ディスク１００を回転させる。記録速度Ｖ３は記録速度Ｖ２よりも大きく設定する（Ｖ３＞Ｖ２）。
【００５２】
（ステップ１８）
ステップ２と同様の手順によって、ディスク１００の外周トラックにおいて、ランダム信号に対応する、マーク長およびスペース長がランダムである複数のマークを形成する。
【００５３】
（ステップ１９）
ステップ３と同様の手順によって、光ディスク１００の外周トラックに記録されたデータを再生速度Ｖ０で再生し、再生信号７の信号品質指標値を測定する。得られた指標値Ｇをシステムコントローラ１０内のメモリに記憶する。
【００５４】
（ステップ２０）
システムコントローラ１０において、信号品質指標値ＧおよびＤの相違に基づいて、信号品質指標値Ｅを補正することによって求めた値を、記録速度Ｖ３で光ディスク１００の中周トラックにランダム信号を記録し、再生した場合に得られる信号品質指標値とする。具体的には、Ｇ2−Ｄ2を算出し、Ｅ2に加えた後、その平方根を求める。つまり、（Ｅ2＋Ｇ2−Ｄ2）0.5を算出し、その値を信号指標値Ｈとする。
【００５５】
（ステップ２１）
システムコントローラ１０において、信号品質指標値ＧおよびＡの相違に基づいて、信号品質指標値Ｃを補正することによって求めた値を、記録速度Ｖ３で光ディスク１００の内周トラックにランダム信号を記録し、再生した場合に得られる信号品質指標値とする。具体的には、Ｇ2−Ａ2を算出し、Ｃ2に加えた後、その平方根を求める。つまり、（Ｃ2＋Ｇ2−Ａ2）0.5を算出し、その値を信号指標値Ｉとする。
【００５６】
（ステップ２２）
システムコントローラ１０において、測定した信号品質指標値Ａ、Ｂ、Ｃ、Ｄ、Ｅ、Ｇおよび計算によって求めた信号品質指標値Ｆ、Ｈ、Ｉと所定値とを比較し、光ディスク１００が所定の信号品質指標の規定に適合しているかどうかを判定する。具体的には、信号品質指標値Ａ、Ｂ、Ｃ、Ｄ、Ｅ、Ｆ、Ｇ、Ｈ、Ｉがすべて所定値以下である場合、システムコントローラ１０は、光ディスク１００が記録速度Ｖ３以下において、所定の信号品質を備えていることを示す信号を外部へ出力する。あるいは、図１に示すディスク装置に設けられた図示しない表示装置に、光ディスク１００が記録速度Ｖ３以下において、所定の信号品質を備えていることを示す表示を行う。
【００５７】
以上のステップ１から２２は必ずしもこの順序で実施される必要はなく、検査に必要な記録再生信号品質指標値が求まる限り、順序が入れ替わってもよい。たとえば、ステップ１６はステップ１８および１９の後に実行してもよい。
【００５８】
ここで、最も好ましい具体例を説明する。光ディスク１００にはＢＤ−Ｒを用いる。
【００５９】
ＢＤの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。ＢＤ標準転送レート（１ｘ）において標準線速度（基準線速度、１ｘ）は４．９ｍ／ｓｅｃである。２倍（２ｘ）、４倍（４ｘ）、６倍（６ｘ）、８倍（８ｘ）および１０倍の線速度は、それぞれ、９．８ｍ／ｓｅｃ、１９．７ｍ／ｓｅｃ、２９．５ｍ／ｓｅｃ、３９．３ｍ／ｓｅｃおよび４９ｍ／ｓｅｃである。標準線速度よりも高い線速度は一般的には、標準線速度の正の整数倍であるが、整数に限られず、正の実数倍であってもよい。また、０．５倍（０．５ｘ）など、標準線速度よりも遅い線速度も定義し得る。したがって、記録速度も同様に、２倍速、４倍速等と定義されるが、０．５倍速あるいは４．５倍速といった速度も定義され得る。
【００６０】
本実施形態では内周トラックとして半径２４ｍｍ付近の位置、中周トラックとして半径４１ｍｍ付近の位置、外周トラックとして半径５８ｍｍ付近の位置を用いる。また、記録速度Ｖ１、Ｖ２、Ｖ３をそれぞれＢＤの４倍速、６倍速、１０倍速とする。各半径位置において、Ｖ１、Ｖ２およびＶ３の速度で記録を行うことによって、ＡからＩの信号品質指標値が得られる。表１は、各半径位置における、記録速度ごとの信号品質指標値および回転速度を示している。なお、表１では分かり易さのため、信号品質指標値Ａ〜Ｉの横に、括弧書きで信号品質指標値Ａ〜Ｉが算出された光ディスク１００における位置および記録速度を示している。このような表記は以下の図および表においても同様である。
【００６１】
【表１】
0005437083.tif 000002
【００６２】
上述の手順によって、４倍速の記録速度で光ディスクの検査を行う場合、各半径位置における回転速度が１００００ｒｐｍを超えないため、外周トラック、中周トラック、および内周トラックすべてにおいて、信号品質指標値Ａ、Ｂ、Ｃを実際に測定することができる。一方、６倍速の記録速度における内周トラックおよび１０倍速の記録速度における中周トラックおよび内周トラックでは、回転速度が１００００ｒｐｍを超えるため、信号品質指標値の測定が困難である。
【００６３】
しかし、本発明によれば、測定が困難な条件における信号指標値は計算によって求めることができる。図３は、上述した信号品質指標値の測定結果および計算によって求めた信号品質指標値と半径位置との関係を示している。図３において、横軸は半径位置を示しており、縦軸は、信号品質指標値を示している。また、丸印、三角印および四角印はそれぞれ、Ｖ１（４倍速）、Ｖ２（６倍速）および１０倍速の記録速度における信号品質指標値を示している。これらの印の白抜きは計算値を示し、黒は実測値を示している。
【００６４】
図３から分かるように、測定が可能な記録速度および半径位置では、信号品質指標値を実際に測定し、回転速度が１００００ｒｐｍを超え、測定が困難となる内周側位置では、信号品質指標値を計算で求める。これにより、全ての記録速度と半径位置において、信号品質指標値が測定または計算によって求められ、予め決めた所定値と比較することが可能である。より具体的には、表２に示すような検査項目を用いて各項目の合否判定を行う。
【００６５】
【表２】
0005437083.tif 000003
【００６６】
表２に示すように、たとえば、信号品質指標値として、再生ランダム信号の２値化のジッタ値を用い、４倍速、６倍速および１０倍速の記録速度でジッタ値を検証する。表２に示すように、たとえば、各記録速度および半径位置において、同程度の信号品質を保証する場合には、所定値として同じ値を用いる。たとえば、ジッタ値が７％以下であれば規定の信号品質が得られると判定する。
【００６７】
表２において、○は信号品質指標値が所定値以下であることを示し、×は所定値よりも大きいことを示す。上述したように回転速度が１００００ｒｐｍを超えるため、実測ができない半径位置および記録速度であっても、計算によって求めた信号品質指標値を用いることによって、光ディスクとして、通常は検査が困難な内周トラックの高速記録の信号品質を検証することができる。
【００６８】
表２に示すように、６倍速の記録速度で内周トラックにおける信号品質指標値Ｆは計算によって求めたものであるが、ステップ１６で説明したように、信号品質指標値Ｆは、実際に測定した信号品質指標値Ｃを補正することによって求めたものである。光ディスク１００の信号品質は、測定を行った位置における光ディスク１００の物理的構造に依存する。このため、６倍速の記録速度で内周トラックにおける信号品質指標値を測定することができなくても、４倍速の記録速度で実際に測定した内周トラックにおける信号品質指標値Ｃに基づいて算出した信号品質指標値Ｆは、実際に測定を行ったとした場合に得られる信号品質指標値によく一致していると考えられる。１０倍速の記録速度における信号品質指標値Ｈ、Ｉについても同様である。したがって、このような計算によって算出した信号品質指標値Ｆ、Ｈ、Ｉを用いて、光ディスク１００の特性を評価することには意味がある。
【００６９】
このようにして、本発明の光ディスクの検査方法に合格した光ディスクをユーザが使用する場合、光ディスクの検査と同等レベルの性能が確保されていることが好ましい。本発明による光ディスク１００は、このために検査で使用した記録条件、つまり、各記録速度用の記録パワーと記録パルス条件を光ディスクの標準的な記録条件として図２に示すリードイン領域１０１に予め記憶している。リードイン領域１０１は、ディスク内周部のトラック溝のウォブルやピットなどを用いた読み出し専用領域に設けられている。リードイン領域１０１に記憶される各記録速度用の記録パワーと記録パルス条件の具体例を表３に示す。
【００７０】
【表３】
0005437083.tif 000004
【００７１】
たとえば、Ｖ３＞Ｖ２＞Ｖ１となる記録速度Ｖ１における標準の記録パワーおよび記録パルス条件と、記録速度Ｖ２における標準の記録パワーおよび記録パルス条件と、記録速度Ｖ３における標準の記録パワーおよび記録パルス条件とを、それぞれ条件セット連番毎にヘッダーからフッターまでの１００バイト程度の情報に割り当てる。表３は、条件セット連番がＩのとき４倍速用条件、条件セット連番がＪのとき６倍速用条件、条件セット連番がＫのとき１０倍速用条件の一例を示している。
【００７２】
ユーザが使用するディスク装置は、光ディスク１００が装填された場合、リードイン領域１０１に光ヘッドを移動させ、リードイン領域１０１にＤＩ（ディスク・インフォメーション）として記憶されていた上述の各記録速度用の記録パワーと記録パルス条件を読み出し、ディスク装置にこれらの条件を設定する。これらの条件を用いて、各記録速度で光ディスク１００にデータの記録を行う場合、光ディスク１００を検査したときと同じ条件で記録が行われるため、記録したデータを再生するときの信号品質は、光ディスク１００を検査した時と同じである。言い換えれば、光ディスク１００の検査を行った場合、信号品質指標値が確実に所定値以下となる。このような光ディスク１００を用いることによって、光ディスク１００は、より確実に保証された性能を発揮する。
【００７３】
このように、本発明によれば、通常は検査が困難な内周部の高速記録の信号品質を保証した信頼性の高い光ディスクを市場に提供することができる。さらに、使用するドライブ装置に装填されたとき、リードイン領域に記憶されていた必要な記録条件が装置に設定される。したがって、製造メーカや検証機関で検査された性能が市場においても十分再現され、ディスク装置間の互換性も増す。
【００７４】
なお、上記実施形態では、記録速度Ｖ１、Ｖ２、Ｖ３をそれぞれＢＤの４倍速、６倍速、１０倍速としたが、ディスク回転数の上限を例えば１２０００ｒｐｍまで許容する場合は、それぞれＢＤの６倍速、８または１０倍速、１２または１４倍速としてもよい。この場合の各信号指標値と記録速度との関係を表４に示す。
【００７５】
【表４】
0005437083.tif 000005
【００７６】
６倍速の記録速度で光ディスクの検査を行う場合は、外周、中周、内周すべてにおいて、信号品質指標値を測定することができる。８倍速または１０倍速の記録速度における内周、および、１２倍速または１４倍速における中周および内周では、回転速度が１２０００ｒｐｍを超える。しかし、本発明によれば、これらの場合において、信号品質指標値を計算によって求めることができ、計算値を用いて表４に示す項目の検査を行うことにより、光ディスクの特性ｒを保証することができる。
【００７７】
また、上記実施形態では、信号指標値としてウインドウ幅に対するノイズエネルギー量を扱うので２乗加減算を用いた。しかし、単純加減算でも簡易的には実用的な結果が得られる。その場合、ステップ１６では、Ｆ＝Ｃ＋Ｅ−Ｂによって信号品質指標値Ｆを求め、ステップ２０では、Ｈ＝Ｅ＋Ｇ−Ｄによって信号品質指標値Ｈを求め、ステップ２１において、Ｉ＝Ｃ＋Ｇ−Ａによって信号品質指標値Ｉを求めてもよい。
【００７８】
また、上記実施形態では、ステップ２１において信号品質指標値Ｉを計算によって求め、ステップ２２において、信号品質指標値Ｉを含め含めて所定値以下であることを確認する例を示した。しかし、内周部で極めて高速回転となり、通常は使用し得ない原理的な条件なので、検査項目から外してもよい。
【００７９】
また、上記実施形態では、異なる記録速度および測定半径位置において測定または算出した信号品質指標値に対し、同じ所定値（例えば７％）で品質を保証した。これは、光ディスク１００において、使用可能などの記録速度およびユーザデータトラックのどの位置においても、同等の信号品質を保証するためである。しかし、光ディスク１００にも求められる仕様によっては、記録速度または測定半径位置に応じて、所定値を異ならせてもよい。
【００８０】
また、上記実施形態では、信号品質指標値が所定値以下であるかどうかをディスク装置のシステムコントローラが信号品質指標値と所定値とを比較することによって行なっているが、所定値との比較つまり測定した信号品質指標値および計算によって求めた信号品質指標値が所定値以下であるかどうかの確認は、ディスク装置の操作者等が行なってもよい。
【産業上の利用可能性】
【００８１】
本発明による光ディスクの検査方法および光ディスクは、高速で記録および再生を行う光ディスクに好適に用いられる。また、高速記録再生が可能なディスク装置に好適に対応する。
【符号の説明】
【００８２】
２  モータ
３  ヘッド
６  再生信号処理部
８  記録信号処理部
１０  システムコントローラ
１００  光ディスク
【図１】
0005437083.tif 000006
【図２】
0005437083.tif 000007
【図３】
0005437083.tif 000008